(57)【要約】      （修正有）【課題】置き方などに特別の配慮を必要とすることなく、開封済みであるか否かを識別可能にすることができる包装用箱を提供する。【解決手段】凸多角形の蓋板１、第１側板２、底板３、差し込み部４ａを有する第２側板４、第３側板５、第４側板６、貼着板７を備え、第３側板５及び第４側板６の少なくとも一方は、延設部１０が延設され、延設部１０は、本体部１０ａと、標識表示部１０ｂを有し、標識表示部１０ｂには、開封されたことを示す識別標識１０ｃが付され、本体部１０ａにおける延設方向の長さｔ1、を第３側板５及び第４側板６の少なくとも一方における延設方向の長さｔ2、と同等以上とする。【選択図】図１
0003213914.tif 000002
【実用新案登録請求の範囲】
【請求項１】
凸多角形の蓋板（１）と、
前記蓋板（１）の第１辺に連設された第１側板（２）と、
前記第１側板（２）に連設された底板（３）と、
前記底板（３）に連設され、貫通した差し込み部（４ａ）を有する第２側板（４）と、
前記第１辺に隣接する、前記蓋板（１）の第２辺に連設された第３側板（５）と、
前記第２辺に対向する、前記蓋板（１）の第３辺に連設された第４側板（６）と、
前記第１辺に対向する、前記蓋板（１）の第４辺に連設されると共に、一部が前記第２側板（４）に貼着され、他の一部が前記差し込み部（４ａ）に差し込まれ、前記蓋板（１）を前記第２側板（４）に係止自在である貼着板（７）
を備え、
前記第３側板（５）及び前記第４側板（６）の少なくとも一方は、前記蓋板（１）の反対方向に延びるように延設部（１０，２０）が延設されており、
前記延設部（１０，２０）は、基端側の本体部（１０ａ、２０ａ）と、前記本体部（１０ａ、２０ａ）に折目（ｋ、ｑ）を介して連設され、開封されたことを示す識別標識（１０ｃ、２０ｃ）が付されている、先端側の標識表示部（１０ｂ、２０ｂ）を有し、
前記本体部（１０ａ、２０ａ）における延設方向の長さ（ｔ1、ｔ3）は、前記第３側板（５）及び前記第４側板（６）のうち、当該本体部（１０ａ、２０ａ）を含む前記延設部（１０，２０）が延設される方の側板における前記延設方向の長さ（ｔ2、ｔ4）と同等以上であることを特徴とする包装用箱。
【請求項２】
前記蓋板（１）を閉めるときに、前記標識表示部（１０ｂ、２０ｂ）が前記蓋板（１）よりも前記包装用箱の上側に突出されることを特徴とする請求項１に記載の包装用箱。
【請求項３】
前記識別標識（１０ｃ、２０ｃ）が前記標識表示部（１０ｂ、２０ｂ）の両面に付されていることを特徴とする請求項１又は請求項２に記載の包装用箱。
【請求項４】
前記差し込み部（４ａ）が、切込み線又は孔であることを特徴とする請求項１から請求項３のいずれかに記載の包装用箱。
【請求項５】
前記識別標識（１０ｃ、２０ｃ）が文字又はピクトグラムであることを特徴とする請求項１から請求項４のいずれかに記載の包装用箱。
【請求項６】
前記本体部（１０ａ、２０ａ）における前記延設方向の前記長さ（ｔ1、ｔ3）が、当該本体部（１０ａ、２０ａ）を含む前記延設部（１０，２０）が延設された方の側板における前記延設方向の前記長さ（ｔ2、ｔ4）の０．９〜１．２倍であることを特徴とする請求項１から請求項５のいずれかに記載の包装用箱。
【考案の詳細な説明】
【技術分野】
【０００１】
本考案は、特に食品、飲料、医薬品等の物品を収容し、開封済みであることを示すことが可能である包装用箱に関するものである。
【背景技術】
【０００２】
従来、薬局など薬剤を取り扱う医療機関では、医薬品が包装用箱に収容された状態で棚やケースなどの保管場所で管理されるところ、一度も使用されたことがない未開封のものか一度は開封されたものであるかが瞬時に識別しにくいために、開封されたものについては一目で開封されていることを示す表示が可能である包装用箱が種々知られている。
【０００３】
例えば、特許文献１には、引き代片を有する包装用箱が記載されている。引き代片は蓋に連設されており、引き代片を引っ張ることによって、包装用箱を開封できる。また、引き代片は、包装用箱の開封前には箱本体の前側に貼り付けられている。そして、箱本体の前側で引き代片と重なる位置には、「開封済」等の開封済みであることを示す表記が設けられている。したがって、開封済みであることを示す表記は、包装用箱の開封前には引き代片によって隠されている。一方、包装用箱の開封後に蓋を閉じる際には、引き代片を箱の内側に差し込み、箱本体に設けられた係合部に係合させる。引き代片を箱の内側に差し込むことによって、蓋を閉じた状態でも開封済みであることを示す表記が引き代片によって隠されることがなく、開封済みであることを示す表記を外部から視認可能になる。
【先行技術文献】
【特許文献】
【０００４】
【特許文献１】特開２００７−１５３４４４号公報
【考案の概要】
【考案が解決しようとする課題】
【０００５】
しかしながら、特許文献１に記載の包装用箱では、包装用箱の開封後に包装用箱を例えば棚に収容する際に包装用箱の前側を棚の手前に向けないと、開封済みであることを示す表記を視認できないことがある。したがって、特許文献１に記載の包装用箱では、包装用箱の開封後に箱の置き方に配慮しないと、開封済みであることを示す表記を外部から視認できなくなる。
【０００６】
そのため、本考案において、置き方などに特別の配慮を必要とすることなく、開封済みであるか否かを識別可能にすることができる包装用箱を提供することを目的とする。
【課題を解決するための手段】
【０００７】
〔１〕すなわち、本考案は、凸多角形の蓋板（１）と、前記蓋板（１）の第１辺に連設された第１側板（２）と、前記第１側板（２）に連設された底板（３）と、前記底板（３）に連設され、貫通した差し込み部（４ａ）を有する第２側板（４）と、前記第１辺に隣接する、前記蓋板（１）の第２辺に連設された第３側板（５）と、前記第２辺に対向する、前記蓋板（１）の第３辺に連設された第４側板（６）と、前記第１辺に対向する、前記蓋板（１）の第４辺に連設されると共に、一部が前記第２側板（４）に貼着され、他の一部が前記差し込み部（４ａ）に差し込まれ、前記蓋板（１）を前記第２側板（４）に係止自在である貼着板（７）を備え、前記第３側板（５）及び前記第４側板（６）の少なくとも一方は、前記蓋板（１）の反対方向に延びるように延設部（１０，２０）が延設されており、前記延設部（１０，２０）は、基端側の本体部（１０ａ、２０ａ）と、前記本体部（１０ａ、２０ａ）に折目（ｋ、ｑ）を介して連設され、開封されたことを示す識別標識（１０ｃ、２０ｃ）が付されている、先端側の標識表示部（１０ｂ、２０ｂ）を有し、前記本体部（１０ａ、２０ａ）における延設方向の長さ（ｔ1、ｔ3）は、前記第３側板（５）及び前記第４側板（６）のうち、当該本体部（１０ａ、２０ａ）を含む前記延設部（１０，２０）が延設される方の側板における前記延設方向の長さ（ｔ2、ｔ4）と同等以上であることを特徴とする包装用箱である。
【０００８】
〔２〕そして、前記蓋板（１）を閉めるときに、前記標識表示部（１０ｂ、２０ｂ）が前記蓋板（１）よりも前記包装用箱の外側に突出されることを特徴とする前記〔１〕に記載の包装用箱である。
【０００９】
〔３〕そして、前記識別標識（１０ｃ、２０ｃ）が前記標識表示部（１０ｂ、２０ｂ）の両面に付されていることを特徴とする前記〔１〕又は前記〔２〕に記載の包装用箱である。
【００１０】
〔４〕そして、前記差し込み部（４ａ）が、切込み線又は孔であることを特徴とする前記〔１〕から前記〔３〕のいずれかに記載の包装用箱である。
【００１１】
〔５〕そして、前記識別標識（１０ｃ、２０ｃ）が文字又はピクトグラムであることを特徴とする前記〔１〕から前記〔４〕のいずれかに記載の包装用箱である。
【００１２】
〔６〕そして、前記本体部（１０ａ、２０ａ）における前記延設方向の前記長さ（ｔ1、ｔ3）が、当該本体部（１０ａ、２０ａ）を含む前記延設部（１０，２０）が設けられている方の側板における前記延設方向の前記長さ（ｔ2、ｔ4）の０．９〜１．２倍であることを特徴とする前記〔１〕から前記〔５〕のいずれかに記載の包装用箱である。
【考案の効果】
【００１３】
本考案の包装用箱によれば、置き方などに特別の配慮を必要とすることなく、開封済みであるか否かを識別可能にすることができる。
【図面の簡単な説明】
【００１４】
【図１】本考案の第一実施形態における包装用箱を展開した状態の表面図である。
【図２】本考案の第一実施形態における包装用箱が組立てられた状態を示す斜視図である。
【図３】本考案の第一実施形態における包装用箱の蓋板が開かれた状態を示す斜視図である。
【図４】本考案の第一実施形態における包装用箱の標識表示部が蓋板より上側に突出された状態を示す斜視図である。
【図５】本考案の第二実施形態における包装用箱を展開した状態の表面図である。
【図６】本考案の第三実施形態における包装用箱を展開した状態の表面図である。
【図７】本考案の第四実施形態における包装用箱を展開した状態の表面図である。
【図８】本考案の第四実施形態における包装用箱の標識表示部が蓋板より上側に突出された状態を示す斜視図である。
【考案を実施するための形態】
【００１５】
以下、本考案に係る包装用箱に関する実施の形態について、添付の図面に基づいて詳しく説明する。なお、以下に説明する各実施形態は、本考案を実施するに好ましい具体例であるから、技術的に種々の限定がなされているが、本考案は、以下の説明において特に考案を限定する旨が明記されていない限り、この形態に限定されるものではない。そして、数値範囲を表す表現は下限と上限を含有するものである。また、説明中の上下方向、左右方向及び前後方向は、図２、図３、図４、図８における上下方向、左右方向及び前後方向にそれぞれ対応している。
【００１６】
図１〜図４は、本考案の第一実施形態を示している。第一実施形態における包装用箱は、図１に示すように、それぞれ矩形状の蓋板１、後側板２、底板３、前側板４が一列に並ぶように、折目ａ、ｂ、ｃを介して順次連設されている。前側板４は、貫通した差し込み部４ａを有する。本実施形態における後側板２、前側板４が請求の範囲における第１側板、第２側板に対応し、本実施形態における折目ａと重なる辺が、請求の範囲における第１辺と対応している。
【００１７】
折目ａと重なる辺に隣接する、蓋板１の１つの辺には矩形状の左側板５が折目ｄを介して連設される。また、折目ｄと重なる辺に対向する、蓋板１の１つの辺には矩形状の右側板６が折目ｅを介して連設される。後側板２、前側板４、左側板５、右側板６によって囲まれる収容空間Ｓ（図３参照）に物品が収容される。そして、蓋板１の開け閉めを行うことによって、収容空間Ｓに物品を収容したり、取り出したりすることができる。本実施形態における折目ｄと重なる辺が、請求の範囲における第２辺と対応している。また、本実施形態における折目ｅと重なる辺が、請求の範囲における第３辺と対応している。
【００１８】
折目ａと重なる辺に対向する、蓋板１の１つの辺には矩形状の貼着板７が折目ｆを介して連設される。貼着板７は、三角形状の２つの糊代部７ａを有する。２つの糊代部７ａは、貼着板７における左右方向の両側に設けられている。また、貼着板７は、山形状の蓋係止部７ｂを有する。蓋係止部７ｂは、貼着板７における左右方向の中央に設けられており、裾部側で蓋板１に連設されている。また、蓋係止部７ｂは引き代部７ｃを有する。引き代部７ｃは、蓋係止部７ｂの頂部側に設けられている。貼着板７は、引き代部７ｃが差し込み部４ａに差し込まれることによって、蓋板１を前側板４に係止自在である。本実施形態における折目ｆと重なる辺が、請求の範囲における第４辺と対応している。また、本実施形態における糊代部７ａが、請求の範囲における貼着板７の「一部」と対応している。また、本実施形態における引き代部７ｃが、請求の範囲における貼着板７の「他の一部」と対応している。なお、本実施形態において、蓋板１、後側板２、底板３、前側板４、左側板５、右側板６は矩形状であるが、他の実施形態において、正方形とすることができる。
【００１９】
蓋板１は、全ての内角が１８０°よりも小さい凸多角形の蓋部材であり、本実施形態では、図１に示すように、正方形に近い矩形状の平板であり、収容空間Ｓを上側から覆う蓋部材である。蓋板１と、左側板５及び右側板６との境界には、折目ｄ、折目ｅに沿って、ミシン目１１が形成されており、ミシン目１１を破断することによって、蓋板１は、左側板５、右側板６から分離可能である。なお、本実施形態において蓋板１は四角形であるが、他の実施形態において五角形、六角形などの凸多角形とすることができ、そのとき更に他の側板が延設され、収容空間が形成される。
【００２０】
後側板２は、図１に示すように、上述したように矩形状の平板であり、組み立てられた包装用箱における一つの側面を構成する。後側板２の左側の辺と右側の辺にはそれぞれフラップ片１２が連設されている。
【００２１】
底板３は、図１に示すように、正方形に近い矩形状の平板であり、収容空間Ｓを下側から覆う底部材である。なお、底板３は、蓋板１が五角形、六角形などの凸多角形であるときに、それらに対応して同じ形状とすることができる。
【００２２】
前側板４は、図１に示すように、上述したように矩形状の平板であり、組み立てられた包装用箱における一つの側面を構成する。前側板４の左側の辺と右側の辺にはそれぞれフラップ片１２が連設されている。前側板４には、左右方向の中央且つ下寄りの位置に前側板４を貫通した差し込み部４ａが形成されている。差し込み部４ａに引き代部７ｃが差し込まれることにより、前側板４に対して蓋板１を係止することができる。
【００２３】
左側板５は、図１に示すように、上述したように矩形状の平板であり、組み立てられた包装用箱における一つの側面を構成する。左側板５は、蓋板１と連設される辺に対向する辺に、折目ｈを介して第１差込片１４が連設されている。また、左側板５は、蓋板１の反対方向に延びるように延設部１０が延設されている。
【００２４】
右側板６は、図１に示すように、上述したように矩形状の平板であり、組み立てられた包装用箱における一つの側面を構成する。右側板６は、蓋板１と連設される辺に対向する辺に折目ｍを介して第２差込片１６が連設されている。物品を収容し梱包するときには、図２において、左側板５又は右側板６を左側又は右側に開放して物品を収容する。物品の収容後は、第１差込片１４又は第２差込片１６を底板３に沿わせて包装用箱の内部に差し込むことにより左側板５又は右側板６が閉じられ、密閉される。
【００２５】
延設部１０は、基端側の本体部１０ａと先端側の標識表示部１０ｂを有する。具体的には、第１差込片１４における左側板５と連設される辺に対向する辺に、折目ｊを介して第１余白部１５が連設され、第１余白部１５における第１差込片１４と連設される辺に対向する辺に、延設部１０の本体部１０ａが折目ｇを介して連設されている。第１余白部１５における折目ｊの法線方向の長さ（第１余白部１５の幅）は、第１差込片１４における折目ｈの法線方向の長さ（第１差込片１４の幅）と同等である。物品を収容し梱包するときには、図１において、第１余白部１５の裏面を第１差込片１４の裏面に重ね合わせるようにして、折目ｊが折られる。このとき、第１余白部１５の幅が第１差込片１４の幅と同等であることによって、本体部１０ａの下端が左側板５の下端に合致する。
【００２６】
図１において、本体部１０ａの裏面は左側板５の裏面に接着される。本体部１０ａにおける延設方向（折目ｇの法線方向）の長さｔ1は、左側板５における延設方向の長さｔ2と同等以上である。延設部１０の標識表示部１０ｂは、本体部１０ａにおける第１余白部１５と連設される辺に対向する辺に、折目ｋを介して連設されている。標識表示部１０ｂには、開封されたことを示す識別標識１０ｃが付されている。本実施形態における折目ｋが請求の範囲における「折目」に対応している。
【００２７】
長さｔ1が長さｔ2と同等以上であることによって、図３に示すように、開封後の包装用箱において、標識表示部１０ｂが左側板５の上端より上側に突出する。したがって、図４に示すように、蓋板１が閉じられたときに、標識表示部１０ｂを蓋板１より上側に突出させることができる。その結果、例えば包装用箱を棚に収容するときに置き方などに特別に配慮することなく、識別標識１０ｃを包装用箱の外部から視認可能にすることができ、開封されたことが一目瞭然となる。識別標識１０ｃは、標識表示部１０ｂの表面だけ、あるいは裏面だけ、又は、表面と裏面の両方、すなわち両面に付することができる。識別標識１０ｃを標識表示部１０ｂの両面に付することによって、置き方などに特別に配慮することなく、更に識別標識１０ｃを包装用箱の外部から視認しやすくすることができる。
【００２８】
本体部１０ａにおける延設方向の長さｔ1は、左側板５における延設方向の長さｔ2の０．９〜１．２倍であることが好ましく、１．０〜１．１倍であることがより好ましい。この範囲に設定することにより、図４に示すように、蓋板１を閉じたときに、標識表示部１０ｂを蓋板１の上側に適度な長さで突出させることができる。その結果、包装用箱の外観を損なうことなく、開封されたことが一目瞭然となる。図５に示す第二実施形態、図６に示す第三実施形態、図７、図８に示す第四実施形態においても同様である。
【００２９】
さらに、標識表示部１０ｂには、開封されたことを示す識別標識１０ｃが付されており、一瞥して開封されていることが認識されるものである。具体的に、識別標識１０ｃとしては、図１に示す「開封済」や、図５に示す第二実施形態における「ｏｐｅｎｅｄ」、又は「ＵＮＳＥＡＬＥＤ」などの各種言語の文字や、図６に示す第三実施形態のように、開封されていることをイメージできるピクトグラムや、記号などが好ましい。
【００３０】
第一実施形態において、差し込み部４ａとして、図１に示すように、左右方向の両端近傍が山状に盛り上がった横長の切込み線が入れられており、その切込み線に接するように、切り込み線の上側（図１の下側）に半円形の貫通孔が形成されている。その結果、特に切込み線の近傍を押さえることなく、切込み線の上側から引き代部７ｃを簡単に差し込むことができ、前側板４に対して蓋板１を容易に係止することができる。また、差し込み部４ａは、他の実施形態において、切込み線に代えて、破断線によって切り取って形成される円形、楕円形、長孔など孔形状とすることができ、形成された孔に引き代部７ｃを差し込み、その引き代部７ｃの全部又は一部を前側板４の裏面と係合させることにより、前側板４に対して蓋板１を係止することができる。
【００３１】
図７、図８に示す第四実施形態のように、左側板５に延設部１０を延設するだけではなく、右側板６にも延設部２０を延設することも好ましい。延設部２０は、基端側の本体部２０ａと先端側の標識表示部２０ｂを有する。具体的には、第２差込片１６における右側板６と連設される辺に対向する辺には、折目ｐを介して第２余白部１７が連設され、第２余白部１７における第２差込片１６と連設される辺に対向する辺に、延設部２０の本体部２０ａが折目ｎを介して連設されている。第２余白部１７における折目ｐの法線方向の長さ（第２余白部１７の幅）は、第２差込片１６における折目ｍの法線方向の長さ（第２差込片１６の幅）と同等である。物品を収容し梱包するときには、図７において、第２余白部１７の裏面を第２差込片１６の裏面に重ね合わせるようにして、折目ｐが折られる。このとき、第２余白部１７の幅が第２差込片１６の幅と同等であることによって、本体部２０ａの下端が右側板６の下端に合致する。
【００３２】
図７において、本体部２０ａの裏面は右側板６の裏面に接着される。本体部２０ａにおける延設方向（折目ｎの法線方向）の長さｔ3は、右側板６における延設方向の長さｔ4と同等以上である。延設部２０の標識表示部２０ｂは、本体部２０ａにおける第２余白部１７と連設される辺に対向する辺に、折目ｑを介して連設されている。標識表示部２０ｂには、開封されたことを示す識別標識２０ｃが付されている。本実施形態における折目ｑが請求の範囲における「折目」に対応している。左側板５に延設部１０を延設すると共に、右側板６に延設部２０を延設することによって、図８に示すように、左右方向の両側で標識表示部１０ｂ、標識表示部２０ｂが蓋板１より上側に突出することとなり、置き方などに特別に配慮することなく、開封されたことが更に認識しやすくなる。識別標識２０ｃは、標識表示部２０ｂの表面だけ、あるいは裏面だけ、又は、表面及び裏面の両方、すなわち両面に付することができる。識別標識２０ｃを標識表示部２０ｂの両面に付することによって、置き方などに特別に配慮することなく、更に識別標識２０ｃを包装用箱の外部から視認しやすくすることができる。
【００３３】
貼着板７は、図１に示すように、折目ａと重なる辺に対向する、蓋板１の１つの辺に折目ｆを介して連設されている。貼着板７は、図２〜図４のように組み立てられたときに、前側板４の表面に接着剤などの固着手段により接着されることにより、収納空間Ｓが安定して形成される。具体的には、貼着板７は、２つの糊代部７ａが前側板４に接着されることによって、前側板４に貼着される。貼着板７における糊代部７ａと蓋係止部７ｂの境界には、ミシン目１１が形成されている。図２に示すように、密閉された状態から引き代部７ｃが上向きに引っ張られることで、ミシン目１１が破断し、蓋係止部７ｂが糊代部７ａから分離される。更に、引き代部７ｃが後ろ向きに引っ張られることで、蓋板１と左側板５及び右側板６との境界のミシン目１１が破断し、蓋板１が左側板５、右側板６から分離される。その結果、図３に示すように、蓋板１を開いて開蓋状態とすることができる。
【００３４】
上述したように、包装用箱の外側から識別標識１０ｃが視認可能となるように、標識表示部１０ｂが蓋板１より上側に突出するように標識表示部１０ｂを立てて蓋板１を閉じることもできるが、標識表示部１０ｂが蓋板１の内側に入るように、標識表示部１０ｂを寝かせて蓋板１を閉じることもできる。そうすることにより、種々の理由により開封後であっても包装用箱の外側から識別標識１０ｃが視認できないようにすることもできるので、開封後であっても外部から視認できるようにするか視認できないようにするか選択することができる。
【符号の説明】
【００３５】
１…蓋板
２…後側板
３…底板
４…前側板
５…左側板
６…右側板
７…貼着板
７ａ…糊代部
７ｂ…蓋係止部
７ｃ…引き代部
１０、２０…延設部
１０ａ、２０ａ…本体部
１０ｂ、２０ｂ…標識表示部
１０ｃ、２０ｃ…識別標識
【図１】
0003213914.tif 000003
【図２】
0003213914.tif 000004
【図３】
0003213914.tif 000005
【図４】
0003213914.tif 000006
【図５】
0003213914.tif 000007
【図６】
0003213914.tif 000008
【図７】
0003213914.tif 000009
【図８】
0003213914.tif 000010